(57)【要約】      （修正有）【課題】ケーキ、お菓子等の食品に直接差し込んで使用したとき、レンチキュラーレンズ及びレンチキュラー画像により豊かな装飾的効果や宣伝的効果を得ることができ、商品の差別化及び識別化を高めることができ、差札の商品価値を向上することができる食品用差札を提供する。【解決手段】ケーキやお菓子等の食品に直接差して使用され、透明合成樹脂製のシート状の差札体１の表面にはレンチキュラーレンズ２が形成され、差札体の裏面には複数の画像を組み合わせてなるレンチキュラー画像３が形成されてなる。【選択図】図３
0003205348.tif 000002
【実用新案登録請求の範囲】
【請求項１】
ケーキやお菓子等の食品に直接差して使用され、透明合成樹脂製のシート状の差札体の表面にはレンチキュラーレンズが形成され、該差札体の裏面には複数の画像を組み合わせてなるレンチキュラー画像が形成されてなることを特徴とする食品用差札。
【考案の詳細な説明】
【技術分野】
【０００１】
本考案は、例えばケーキ、お菓子等の食品に直接差して用いられる食品用差札に関するものである。
【背景技術】
【０００２】
この種の食品用差札として、各種の大きさ、各種の輪郭形状の差札体の表面にケーキ名や図形、絵柄等の表示パターンが印刷されてなり、この差札をケーキ、お菓子等に直接差し込み、食品の美感を高め、装飾的価値、宣伝的価値、他社商品との差別化を図る工夫がなされている。
【先行技術文献】
【特許文献】
【０００３】
【特許文献１】実用新案登録第３１７３８４７号公報
【考案の概要】
【考案が解決しようとする課題】
【０００４】
しかしながらこれら従来の差札をケーキ、お菓子等の食品に直接差し込んで使用したとき、差札体は不透明であるから表示パターンによる平面的な表示態様となり、装飾的効果や宣伝的効果に乏しいことがあるという不都合を有している。
【課題を解決するための手段】
【０００５】
本考案はこれらの不都合を解決することを目的とするもので、本考案のうちで、請求項１記載の考案は、ケーキやお菓子等の食品に直接差して使用され、透明合成樹脂製のシート状の差札体の表面にはレンチキュラーレンズが形成され、該差札体の裏面には複数の画像を組み合わせてなるレンチキュラー画像が形成されてなることを特徴とする食品用差札にある。
【考案の効果】
【０００６】
本考案は上述の如く、請求項１記載の考案にあっては、差札体をケーキ、お菓子等の食品に直接差し込んで使用したとき、レンチキュラーレンズ及びレンチキュラー画像により豊かな装飾的効果や宣伝的効果を得ることができ、商品の差別化及び識別化を高めることができ、差札の商品価値を向上することができる。
【図面の簡単な説明】
【０００７】
【図１】本考案の実施の第一形態例の正面図である。
【図２】本考案の実施の第一形態例の断面図である。
【図３】本考案の実施の第一形態例の斜視図である。
【図４】本考案の実施の第一形態例の説明図である。
【図５】本考案の実施の第一形態例の使用状態図である。
【図６】本考案の実施の第二形態例の斜視図である。
【図７】本考案の実施の第二形態例の説明図である。
【図８】本考案の実施の第三形態例の斜視図である。
【図９】本考案の実施の第三形態例の説明図である。
【図１０】本考案の実施の第四形態例の斜視図である。
【図１１】本考案の実施の第四形態例の説明図である。
【図１２】本考案の実施の第五形態例の使用状態図である。
【考案を実施するための形態】
【０００８】
図１乃至図１２は本考案の実施の形態例を示し、図１乃至図５は第一形態例、図６、７は第二形態例、図８、図９は第三形態例、図１０、１１は第四形態例、図１２は第五形態例である。
【０００９】
図１乃至図５の第一形態例において、Ｓは食品用差札であって、図１、図２、図３、図５の如く、透明合成樹脂製のシート状の差札体１の表面にはレンチキュラーレンズ２が形成され、差札体１の裏面には複数の画像を組み合わせてなるレンチキュラー画像３が形成され、ケーキやお菓子等の食品Ｗに直接差して使用される。
【００１０】
この場合、上記差札体１の表面には断面形状が微細な細長い蒲鉾状の凸レンズが並列するレンチキュラーレンズ２が多数形成され、差札体１の裏面には複数の画像を組み合わせてなるレンチキュラー画像３がオフセット印刷、インクジェット印刷等の印刷手段や貼り付け手段により形成されている。
【００１１】
なお、上記差札体１の材質や上記印刷手段における印刷インキを構成する顔料等の原材料の選択にあたり、食品用差札Ｓはケーキやお菓子等の食品Ｗに直接差して使用されることから、飲食によって生ずる危害の発生を防止するための法律としての食品衛生法、食品、添加物等の規格基準（厚生労働省告示第４１６号）、食品衛生検査指針（理化学編）等を考慮しなければならない。
【００１２】
又、この場合、上記差札体１はポリエチレンテレフタレート、ポリプロピレン等の透明合成樹脂材で成形され、透明な肉薄のシートとなっている。
【００１３】
又、レンチキュラー画像３としては、例えば、異なる画像を組み合わせたり、視差が生ずる二枚の画像を組み合わせたりすることで作成される。
【００１４】
この場合、図４中、（イ）、（ロ）、（ハ）の三個の画像３ａ・３ｂ・３ｃを基にしてこれらの写真やイラストの画像が見る角度を変える動きに合わせて段々小さくなったり、段々大きくなったりするズーミング効果が表現されるレンチキュラー画像３となっている。
【００１５】
この実施の第一形態例は上記構成であるから、差札体１をケーキ、お菓子等の食品Ｗに直接差し込んで使用したとき、レンチキュラーレンズ２及びレンチキュラー画像３のレンチキュラー（Ｌｅｎｔｉｃｕｌａｒ）により豊かな装飾的効果や宣伝的効果を得ることができ、商品の差別化及び識別化を高めることができ、差札の商品価値を向上することができる。
【００１６】
図６、７の第二形態例は別例構造を示し、この場合、図７中、（イ）、（ロ）、（ハ）の三個の画像３ａ・３ｂ・３ｃを基にしてこれらの写真やイラストの画像が動いて見えるアニメーション効果が表現されるレンチキュラー画像３となっている。
【００１７】
又、図８、図９の第三形態例も別例構造を示し、この場合、図９中、（イ）、（ロ）、（ハ）の三個の画像３ａ・３ｂ・３ｃを基にしてこれらの写真やイラストの画像が遠近感及び立体感を表出する３Ｄデプス効果が表現されるレンチキュラー画像３となっている。
【００１８】
又、図１０、１１の第四形態例も別例構造を示し、この場合、図１１中、（イ）、（ロ）の二個の画像３ａ・３ｂを基にして全く異なる複数、この場合、これらの二個の絵柄の画像が切り替わり出現するチェンジング効果が表現されるレンチキュラー画像３となっている。
【００１９】
また、他の効果表現として、図示省略の写真やイラストの画像が立体的及び写実的に表現されるリアル３Ｄ効果や絵柄が徐々に別の絵柄へと変形するモーフィング効果を得るレンチキュラー画像３を採用することもできる。
【００２０】
これら図６、７の第二形態例、図８、図９の第三形態例及び図１０、１１の第四形態例においても、差札体１をケーキ、お菓子等の食品Ｗに直接差し込んで使用したとき、レンチキュラーレンズ２及びレンチキュラー画像３のレンチキュラーにより上記第一形態例と同様な豊かな装飾的効果や宣伝的効果を得ることができ、商品の差別化及び識別化を高めることができ、差札の商品価値を向上することができる。
【００２１】
図１２の第五形態例はランチプレート上の食品Ｗに差札体１を適用した他の使用例である。
【００２２】
この図１２の第五形態例にあっても、各種食品Ｗに差札体１を差し込んで使用することにより豊かな装飾的効果や宣伝的効果を得ることができ、商品の差別化及び識別化を高めることができ、差札の商品価値を向上することができる。
【００２３】
尚、本考案は上記実施の形態例に限られるものではなく、差札の用途として、ケーキ、お菓子に限らず、寿司やその他の食品にも使用されるものであり、又、差札体１の形態、差札体１の用途、レンチキュラーレンズ２の構造、レンチキュラー画像３の構成等は適宜変更して設計されるものである。
【００２４】
以上、所期の目的を充分達成することができる。
【符号の説明】
【００２５】
Ｗ    食品
Ｓ    食品用差札
１    差札体
２    レンチキュラーレンズ
３    レンチキュラー画像
【図１】
0003205348.tif 000003
【図２】
0003205348.tif 000004
【図３】
0003205348.tif 000005
【図４】
0003205348.tif 000006
【図５】
0003205348.tif 000007
【図６】
0003205348.tif 000008
【図７】
0003205348.tif 000009
【図８】
0003205348.tif 000010
【図９】
0003205348.tif 000011
【図１０】
0003205348.tif 000012
【図１１】
0003205348.tif 000013
【図１２】
0003205348.tif 000014